(57)【要約】【課題】レンタル自転車１０に乗っている時でも観光パンフレットや観光ガイドＭを参照することのできる二輪車用書面台５０を提供すること。【解決手段】  二輪車のハンドル部分又は前籠に着脱自在な書見台であって、書面を載置可能なプレート部分２０と、当該プレート部分２０を二輪車のハンドル部分又は前籠に着脱自在に保持すると共に、当該プレート部分２０の基端側から突出しているアーム部分３０とを具備し、前記プレート部分２０には、載置する書面を保持する保持手段が設けられており、当該保持手段は、対向する側面に立設して設けられた溝２３、およびプレート部分２０における基端側に対向する先端側に横架されたベルトの少なくとも何れかであって、当該保持手段はプレート部分２０の先端側からの風力に抗して書面を保持する二輪車用書見台とする。【選択図】図１
2012075443.tif 000002
【特許請求の範囲】
【請求項１】
二輪車のハンドル部分又は前籠に着脱自在な書見台であって、
書面を載置可能なプレート部分と、
当該プレート部分を二輪車のハンドル部分又は前籠に着脱自在に保持すると共に、当該プレート部分の基端側から突出しているアーム部分とを具備し、
前記プレート部分には、載置する書面を保持する保持手段が設けられており、
当該保持手段は、対向する側面に立設して設けられた溝、およびプレート部分における基端側に対向する先端側に横架されたベルトの少なくとも何れかであって、当該保持手段はプレート部分の先端側からの風力に抗して書面を保持する事を特徴とする、二輪車用書見台。
【請求項２】
前記プレート部分の上面は、先端側から基端側に向かって凸状又は凹状に湾曲している、請求項１に記載の二輪車用書見台。
【請求項３】
前記アーム部分は前後方向に可倒可能な曲折部分を具備し、前記プレート部分は、当該曲折部分を曲げることにより上下反転可能である請求項１又は２に記載の二輪車用書見台。
【請求項４】
前記プレート部分の上面には透明な風防シートが重ねられており、当該風防シートは、プレート部分の先端に固定一体化されている、請求項１〜３の何れか一項に記載の二輪車用書見台。
【請求項５】
前記プレート部分は、アーム部分に対して水平回動自在に設けられている、請求項１〜４の何れか一項に記載の二輪車用書見台。
【請求項６】
ハンドル部分に書見台が設けられた自転車であって、
当該書見台が請求項１〜５の何れか一項に記載の二輪車用書面台である、自転車。
【発明の詳細な説明】
【技術分野】
【０００１】
本発明は、二輪車のハンドル部分又は前籠に着脱自在な書見台に関し、特にレンタル自転車などで有効に利用される二輪車用書面台に関する。
【背景技術】
【０００２】
従来から、本を手で保持しなくても読書ができるようにするため、あるいは眼の疲労を少なくしながらも楽な姿勢で読書できるように、本の傾斜角度を自在に調節できるようにするために、様々な書見台が提案されてきた。これら書見台について従来から提案されている改良は、その基本的な機能に鑑み、本を読み易く、ページがめくり易く、見開いたページを如何に押さえるかという点にあった。
【０００３】
例えば特許文献１（特開２０１０−１７８９４０号公報）では、不使用時には上方へ回動させ、寝た状態で楽に読書可能な書見台を提供するべく、ベース部材に立設したポールに、高さ調整可能に取付けた水平方向に回動可能な取付具に天秤アームを取り付け、天秤アームの一端部に所定の力で回動可能に取り付けた書籍支持板と、この書籍支持板に書籍を書籍支持板の中央部に支持させる中央支持具と、書籍の両端部をめくり可能に係止する端部係止具と、天秤アームの他端部に位置調整可能に係止する書籍支持板を所定の高さに位置させることができる天秤重りと、ポールに高さ調整可能で、かつ突出量を調節できるように取付けられた先端部に照明灯が設けられた照明灯支持アームとで書見台を構成することが提案されている。
【０００４】
また、特許文献２（実用新案登録第３１５４０２４号公報）では、家の内外、自動車の内外と場所を問わず、自由自在に取り付け、取り外して、写真だけではなく、いろいろな用途で簡単に使用できる兼用蛇腹スタンド装置が提案されている。この特許文献２で提案されている兼用蛇腹スタンド装置は、対象となる物を掴んで固定する強力クリップ部と、それにボルトで接続された３０ｃｍ長のフレキシブルチューブの本体部と、その先端にやはりボルトで接続された平面の台座部で構成されている。そして、強力クリップは、二輪車両等のハンドルフレームに取り付ける掴み部分が楕円形のクリップ部分と、会社や工場や、家庭に於いてのデスク家具等の突出部に取り付けられる平板なクリップ部分との併用型で、フレキシブルチューブの本体部は、柔軟にして、Ｕ字型の急角度などの変形にも折り曲げることができ、そのまま支持固定しておくことも出来る様に構成されている。
【０００５】
更に、特許文献３（特開平８−５３０８６号公報）では、オフロードバイクを含む単車のタンクに取り付けて利用する地図カバーも提案されている。即ち、袋部の裏面中央領域へ底板を設け、底板から内フラップを垂れ下げて中央領域を固定し、袋部の両側から外フラップを垂れ下げて両側から引っ張って固定する事によってローリングを防ぎ、面ファスナーによって地図帳を収納した時、袋部の両側へ余った領域を折り込んで固定する単車用地図カバーが提案されている。
【先行技術文献】
【特許文献】
【０００６】
【特許文献１】特開２０１０−１７８９４０号公報
【特許文献２】実用新案登録第３１５４０２４号公報
【特許文献３】特開平８−５３０８６号公報
【発明の概要】
【発明が解決しようとする課題】
【０００７】
近年、観光地などにおいてはレンタル自転車が用意されることが多い。即ち、電車やバスなどの公共交通機関を利用して来た観光客が、徒歩では移動できないような観光地や文化施設などを手軽に散策できるよう、様々な自治体や観光協会などが主体となって、自転車を一定時間貸与するものである。このようなレンタル自転車を利用することにより、狭い道でも難なく通行できる上、渋滞知らずであり、更に観光地における自然環境を保全でき、健康増進の上でも望ましいことから、近年では特に多くの観光地において普及している。
【０００８】
また近年では、観光地等においては、近隣の文化施設や観光施設を案内する、所謂観光パンフレットも種々提供されている。このような観光パンフレットには、各施設の案内や飲食店情報の他、各施設の所在を示す地図も掲載されているのが一般的である。また観光客は自ら観光ガイドを持参することも多い。このような観光パンフレットや観光ガイドに掲載された情報は、そこの土地勘の無い観光客が、様々な観光地を知り、かつこれ等を効率的に巡る上では重要であり、この事はレンタル自転車を借りて移動する観光客の場合であっても例外ではない。
【０００９】
しかしながら、レンタル自転車を使用する観光客は、その両手が自転車を操縦するために塞がってしまい、観光パンフレットや観光ガイドを参照する場合には、自転車を止めて見なければならなかった。また自転車で移動しながら地図を参照することができなかったことから、道を間違えてしまい、見知らぬ土地で迷ってしまうこともあった。
【００１０】
そこで本発明は、レンタル自転車に乗っている時でも観光パンフレットや観光ガイドを参照することのできる二輪車用書面台を提供することを第一の課題とする。
【００１１】
ここで、これまでにも本を読み易く、ページがめくり易く、更に見開いたページを如何に押さえるかについて改良を施した書見台は種々提案されており、また、様々な場所に取り付けることのできる兼用蛇腹スタンド装置、および単車のタンクに取り付けて利用する地図カバーも提案されている。
【００１２】
しかしながら、これら従来提案されているものは、そのまま自転車に設置することができないか、自転車に設置したとしても新たな問題を生じてしまうものとなっていた。
【００１３】
そこで本発明は、自転車に設置した場合に派生する種々の問題を検討すると共に、これらの問題を解決した二輪車用書面台を提供することを第二の課題とする。
【００１４】
更に本発明では、自転車に設置した場合でも観光パンフレットや観光ガイドを確認しやすく、現在位置を確認しやすいようにした二輪車用書面台を提供することを第三の課題とする。
【課題を解決するための手段】
【００１５】
上記課題を解決するべく、本発明では二輪車のハンドル部分又は前籠に着脱自在な書見台であって、書面を載置可能なプレート部分と、当該プレート部分を二輪車のハンドル部分又は前籠に着脱自在に保持すると共に、当該プレート部分の基端側から突出しているアーム部分とを具備し、前記プレート部分には、載置する書面を保持する保持手段が設けられており、当該保持手段は、対向する側面に立設して設けられた溝、およびプレート部分における基端側に対向する先端側に横架されたベルトの少なくとも何れかであって、当該保持手段はプレート部分の先端側からの風力に抗して書面を保持する二輪車用書見台を提供する。
【００１６】
かかる二輪車用書面台では、載置する書面を保持する保持手段が設けられており、これが自転車の移動に際して発生する前面からの風に抗して観光パンフレットや観光ガイドを保持することから、これら観光パンフレットや観光ガイドが風で捲れてしまうことが無くなる。また二輪車のハンドル部分又は前籠に着脱自在に設けられることから、自転車の運転中でも、利用者が前向きの視線をずらす事無く観光パンフレットや観光ガイドを参照することが可能になり、安全性も確保することができる。
【００１７】
なお保持手段が、対向する側面に立設して設けられた溝である場合、この溝間に両縁部分を嵌め込むことのでききるクリアーファイルなど、少なくとも書面を挟み込むことができると共に、上面が透明で挟んだ書面を表から確認可能なホルダーを設置することができ、当該ホルダーを二輪車用書面台の構成要素とすることもできる。
【００１８】
かかる二輪車用書面台において、前記プレート部分の上面は、先端側から基端側に向かって凸状又は凹状に湾曲している事が望ましい。このように湾曲させた場合、自転車の移動に伴って巻き起こる風からも、載せ置いた観光パンフレットや観光ガイドを保持することができ、これらが捲れてしまう事態を阻止することができる。
【００１９】
また、前記アーム部分は前後方向に可倒可能な曲折部分を具備し、前記プレート部分は、当該曲折部分を曲げることにより上下反転可能である事が望ましい。アーム部分を前後方向に可倒可能に形成することで、例えば雨などが降った場合には、観光パンフレットや観光ガイドを載せたプレート部分は、その裏面が上を向くように反転させることができ、また障害物の多い場所を走行するときなど、利用者が前面を醜いと感じた場合には、プレート部分を手前側に倒すことにより、手前の道路状況を確認しやすくすることができる。
【００２０】
また、前記プレート部分の上面には透明な風防シートが重ねられており、当該風防シートは、プレート部分の先端に固定一体化されている事が望ましい。かかる風防シートにより、観光パンフレットや観光ガイドの捲れを阻止する他、雨が降った場合でも観光パンフレットや観光ガイドが濡れる事をなくすことができる。
【００２１】
また、前記プレート部分は、アーム部分に対して水平回動自在に設けられている事が望ましい。プレート部分が水平回動自在であることにより、その上に載せ置いた観光パンフレットや観光ガイドも水平回転可能になり、利用者において進行方向の確認を行いやすくすることができる。
【００２２】
本発明にかかる二輪車用書面台は、自動二輪車、自転車など二輪車について使用することができるが、特に自転車に使用した場合（この場合、特に「自転車用書面台」とも言い得る）には、レンタル自転車の有効活用を図ることができ、地域における観光資源の有効活用や、観光地としての地域の活性化を企図することができる。
【００２３】
また、本発明にかかる二輪車用書面台に載せ置いて使用する観光パンフレットや観光ガイドは、従来から提供されている１枚のパンフレット形式のものや冊子形式のものなど種々使用することができるが、その他にも自転車での使用に適するように、観光ガイドを巻物形式にしたものを使用することもできる。このような巻物形式の書面を保持する場合には、当該二輪車用書面台のプレート部分には、この書面を巻き取るための構成、例えば一定の間隔を置いて対向配置された巻き取りローラー等を伴うことができる。更に、パンフレット形式の観光ガイドをラミネートし、本発明にかかる二輪車用書面台で使用する観光パンフレットとすることもできる。
【００２４】
更に、プレート部分を金属で形成して、磁石により観光パンフレットや観光ガイドを固定するように形成することもできる。この場合、目的地や立ち寄り地点、あるいは自己の所在地を示す為の磁石を別途用意し、これを観光パンフレットや観光ガイドに掲載されているような地図上に配置することもできる。
【発明の効果】
【００２５】
以上のように構成された本発明の二輪車用書面台によれば、レンタル自転車などにも、簡易に観光パンフレットや観光ガイドを設置することができ、かつこれら観光パンフレットや観光ガイドを有効に活用して観光地を巡る事が可能になる。
【００２６】
更に、自転車が移動しているときの風により、これら観光パンフレットや観光ガイドが捲れてしまう事が無いため、より安全に自転車を走行させることができる。
【００２７】
そしてプレート部分を水平回動自在とすることにより、載せ置いた観光パンフレットや観光ガイドに掲載された地図の向きを進行方向に合わせることができ、道を迷う恐れをなくすことができる。
【図面の簡単な説明】
【００２８】
【図１】本実施の形態にかかる二輪車用書面台を自転車に取り付けた状態を示す側面図
【図２】二輪車用書面台の取り付け状態を示す要部上面図
【図３】他の実施の形態にかかる二輪車用書面台の取り付け状態を示す要部上面
【図４】他の実施の形態にかかる二輪車用書面台要部側面図
【図５】地図などを保持する構造を示す要部斜視図
【図６】他の実施の形態にかかる二輪車用書面台を示す斜視図
【図７】他の実施の形態にかかる二輪車用書面台を示す斜視図
【図８】他の実施の形態にかかる二輪車用書面台を示す斜視図
【発明を実施するための形態】
【００２９】
以下、図面を参照しながら幾つかの実施の形態にかかる二輪車用書面台５０を説明する。先ず、図１は本実施の形態にかかる二輪車用書面台５０を自転車１０に取り付けた状態を示す側面図であり、本実施の形態では、この図１に示すように、自転車１０のハンドル部分に取り付けて使用している。ハンドル部分に取り付けているのは、一般的に自転車１０のハンドルには横向きのバーハンドル（棒状のハンドル）が用いられており、かかるバーハンドルに対して二輪車用書面台５０を取り付けることにより、如何なる自転車１０に対しても取り付けることが可能になる。本実施の形態において、二輪車用書面台５０は、自転車１０のハンドル部分に対して着脱自在に設けられた棒状のアーム部分３０と、このアーム部分３０に支持された平板状のプレート部分２０とで構成されている。なお、この二輪車用書面台５０は、特に前籠を設置している自転車１０の場合には、当該自転車１０の前籠に設置することもできる。二輪車用書面台５０を前籠に設置する場合には、前籠を構成する網目に棒状のアーム部分３０を取り付けることが考えられる。
【００３０】
次に図２の二輪車用書面台５０の取り付け状態を示す要部上面図を参照しながら、ハンドル部分に対する二輪車用書面台５０の取り付け状態を説明する。この図に示すように、観光パンフレットなどに掲載された地図Ｍを載せ置くプレート部分２０を保持するアーム部分３０は、本実施の形態では２つ設けられており、プレート部分２０の下方に延伸して突出している両アーム部分３０は、自転車１０のハンドルに取り付けられている。この取り付け方法としては、自転車１０のハンドル部分を咬持するようなクランプ状あるいはクリップ状の部材として形成することができる。その他にもプレート部分２０をアーム部分３０に対して着脱自在に取り付ける場合、このアーム部分３０は必ずしもハンドルに対して着脱自在に設ける必要は無く、溶着その他の方法で固定一体化することもできる。
【００３１】
そして以上のように自転車１０のハンドルに対して取り付けられたアーム部分３０に対して、地図Ｍを保持するプレート部分２０が取り付けられている。図２に示す実施の形態のプレート部分２０は、平面に形成されると共に、その左右両側および下には、それぞれの縁部に沿った壁面２１が形成されており、またプレート部分２０の上方には、横方向に架設されたベルト部材２２が設けられている。このベルト部材２２は、書籍の様に冊子になっている観光ガイドを開いて、このプレート部分２０上に保持する他、薄いパンフレット状の地図Ｍを保持するために機能する。このベルト部材２２は、その長さを調整可能に形成されることが望ましく、例えばゴムなどの弾性部材を用いて形成することもできる。かかるベルト部材２２で観光パンフレットや観光ガイドＭを保持することにより、自転車１０の移動により正面側から気流が生じた場合でも、当該観光パンフレットや観光ガイドＭを確実に保持し、これが捲れる事は無い。
【００３２】
そして二輪車用書面台５０は、図３の他の実施の形態にかかる二輪車用書面台５０の取り付け状態を示す要部上面図に示すように、プレート部分２０が、アーム部分３０に対して回動自在に形成されていることが望ましい。即ち、プレート部分２０が、その面の属する仮想平面内を回動自在なようになっていることで、当該プレート部分２０に載せ置いた地図Ｍも回動できるようになる。その結果、自転車１０の進行方向に合わせて地図Ｍを回して見る事ができ、あたかも歩きながら地図Ｍを回して現在位置や目的地の方向を確認するように使用することができる。このようにプレート部分２０を回動自在とするためには、当該プレート部分２０は、アーム部分３０に対して適宜軸３１によって枢着されていることが必要である。なお、このように進行方向などを確認する上では、当該二輪車用書面台５０のアーム部分３０又はプレート部分２０のいずれかに、方位磁石を一体化して設けることも望ましい。なお、本実施の形態におけるアーム部分３０は、プレート部分２０を軸着するために、プレート部分２０の裏側においてつながり、略「コ」字状に形成されている。
【００３３】
更に、この二輪車用書面台５０は、自転車１０の前後方向に可倒式に形成される事が望ましい。即ち、図４の要部側面図に示すように、アーム部分３０の何れかの部分に、ヒンジかこれに類する構造の回動部分３２を形成する。アーム部分３０に回動部分３２を形成することにより、雨が降って観光パンフレットや観光ガイドＭが濡れてしまう場合や、自転車１０の走行路面が悪く進行方向直前を確認しながら走行しなければならない場合などには、この回動部分から先端部分を上方に折り返してしまっておくこともできる。なお、走行路面を確認しやすくするためには、この二輪車用書面台５０におけるプレート部分２０を透明に形成したり、メッシュを含む多孔状に形成してプレート部分２０から透かし見る事ができるように形成することも望ましい。
【００３４】
図５は地図Ｍなどを保持する構造を示す要部斜視図であり、この図に示すようにプレート部分２０の左右両側に設けられる縁部に沿った壁面２１の内側には、溝２３を形成し、当該溝２３間で地図Ｍなどのシート状物を保持することも望ましい。特に、このように溝２３でシート状物（地図Ｍなど）を保持する場合には、当該シート状物はラミネート加工を施すなど、一定の保形性を有することが望ましく、クリアフォルダー等に地図Ｍを挟んで、これを溝２３間に嵌めて使用することも考えられる。なお、この図５において、プレート部よりも下側に突出している部分は、前記アーム部分３０をあらわしている。
【００３５】
また、図６は他の実施の形態にかかる二輪車用書面台５０を示しており、この図に示す実施の形態では、プレート部分２０の上面に、当該プレート部分２０に載せ置いた観光パンフレットや観光ガイドＭをカバーする透明のシート体２４を設けている。このシート体２４は、プレート部分２０の上縁に一体化されている事が望ましく、このように設けることで、観光パンフレットや観光ガイドＭが風でめくれる恐れをなくすのみならず、雨などから保護することができる。かかるシート体２４は、更に下縁においてもプレート部分２０に対して着脱自在に連結することも望ましい。この図６においても、プレート部よりも下側に突出している部分は、前記アーム部分３０をあらわしている。
【００３６】
そして図７は、更に他の実施の形態にかかる二輪車用書面台５０を示しており、特に観光案内などのための地図Ｍを巻物状に形成し、これを自分の今いる場所を表示できるように巻き取ることができるように構成した二輪車用書面台５０である。特に、この実施の形態では、巻き取り部分は上縁側の巻取り部２５ａと下縁側の巻取り部２５ｂとを対向させて設け、更に右縁側の巻取り部２５ｃと左縁側の巻取り部２５ｄとを対向させて設けている。このように形成することで、当該巻物状の地図Ｍの表示領域にあわせて、何れかの巻き取り部を使用することが可能になる。
【００３７】
更に図８は、更に他の実施の形態にかかる二輪車用書面台５０を示しており、この実施の形態にかかる二輪車用書面台５０では、プレート部分２０を湾曲させて形成した例を示している。特に図８（Ａ）は上面を凹ませて湾曲させた態様を、（Ｂ）は上面を出っ張らせて湾曲させた態様を夫々示している。このようにプレート部分２０を湾曲させることにより、保持される観光パンフレットや観光ガイドＭに張力が生じ、風などによっても捲れにくいようになる。なお、このようにプレート部分２０を湾曲させた場合であっても、上記のように観光パンフレットや観光ガイドＭを保持する構造は適宜採用することが可能である。
【００３８】
上記した各実施の形態では二輪車のハンドル部分又は前籠に着脱自在な書見台であって、書面を載置可能なプレート部分２０と、当該プレート部分２０を二輪車のハンドル部分又は前籠に着脱自在に保持すると共に、当該プレート部分２０の基端側から突出しているアーム部分３０とを具備し、前記プレート部分２０には、載置する書面を保持する保持手段が設けられており、当該保持手段は、対向する側面に立設して設けられた溝２３、およびプレート部分２０における基端側に対向する先端側に横架されたベルトの少なくとも何れかであって、当該保持手段はプレート部分２０の先端側からの風力に抗して書面を保持する二輪車用書見台を提供することができる。
【００３９】
かかる二輪車用書面台５０では、載置する書面を保持する保持手段が設けられており、これが自転車１０の移動に際して発生する前面からの風に抗して観光パンフレットや観光ガイドＭを保持することから、これら観光パンフレットや観光ガイドＭが風で捲れてしまうことが無くなる。また二輪車のハンドル部分又は前籠に着脱自在に設けられることから、自転車１０の運転中でも、利用者が前向きの視線をずらす事無く観光パンフレットや観光ガイドＭを参照することが可能になり、安全性も確保することができる。
【００４０】
なお保持手段が、対向する側面に立設して設けられた溝２３である場合、この溝２３間に両縁部分を嵌め込むことのでききるクリアーファイルなど、少なくとも書面を挟み込むことができると共に、上面が透明で挟んだ書面を表から確認可能なホルダーを設置することができ、当該ホルダーを二輪車用書面台５０の構成要素とすることもできる。
【００４１】
かかる二輪車用書面台５０において、前記プレート部分２０の上面は、先端側から基端側に向かって凸状又は凹状に湾曲している事が望ましい。このように湾曲させた場合、自転車１０の移動に伴って巻き起こる風からも、載せ置いた観光パンフレットや観光ガイドＭを保持することができ、これらが捲れてしまう事態を阻止することができる。
【００４２】
また、前記アーム部分３０は前後方向に可倒可能な曲折部分を具備し、前記プレート部分２０は、当該曲折部分を曲げることにより上下反転可能である事が望ましい。アーム部分３０を前後方向に可倒可能に形成することで、例えば雨などが降った場合には、観光パンフレットや観光ガイドＭを載せたプレート部分２０は、その裏面が上を向くように反転させることができ、また障害物の多い場所を走行するときなど、利用者が前面を醜いと感じた場合には、プレート部分２０を手前側に倒すことにより、手前の道路状況を確認しやすくすることができる。
【００４３】
また、前記プレート部分２０の上面には透明な風防シートが重ねられており、当該風防シートは、プレート部分２０の先端に固定一体化されている事が望ましい。かかる風防シートにより、観光パンフレットや観光ガイドＭの捲れを阻止する他、雨が降った場合でも観光パンフレットや観光ガイドＭが濡れる事をなくすことができる。
【００４４】
また、前記プレート部分２０は、アーム部分３０に対して水平回動自在に設けられている事が望ましい。プレート部分２０が水平回動自在であることにより、その上に載せ置いた観光パンフレットや観光ガイドＭも水平回転可能になり、利用者において進行方向の確認を行いやすくすることができる。
【産業上の利用可能性】
【００４５】
本発明の提供により、自転車の走行中でも難なく地図などを参照することができるから、道に迷うことなく、かつ自転車を安全に走行させることが可能になる。
【００４６】
更に観光地などで利用されているレンタル自転車に使用することにより、観光パンフレットの有効活用を図ることができ、更に観光産業の発達や観光地における地域の活性化を期待することができる。
【符号の説明】
【００４７】
１０ 自転車
２０ プレート部分
２１ 壁面
２２ ベルト部材
２３ 溝
２４ シート体
２５ 巻取り部
３０ アーム部分
３１ 軸
３２ 回動部分
５０ 二輪車用書面台
Ｍ 観光ガイド・地図
【図１】
2012075443.tif 000003
【図２】
2012075443.tif 000004
【図３】
2012075443.tif 000005
【図４】
2012075443.tif 000006
【図５】
2012075443.tif 000007
【図６】
2012075443.tif 000008
【図７】
2012075443.tif 000009
【図８】
2012075443.tif 000010